(57)【要約】【課題】携帯電話機が通話中にあるときに携帯電話機へのメール着信が発生した場合に、内容を読み忘れているメールがある旨をハンズフリー機能付き車載装置からユーザに気付かせる。【解決手段】車載ハンズフリー装置２は、携帯電話機３が通話中にあるときに携帯電話機３がメール着信すると、その旨をユーザに対して通知させ、メールの内容を表示させる操作が行われたか否かを判定し、メールの内容を表示させる操作が行われなかった旨を判定すると、内容が表示されていないメールが存在する旨を未読履歴として記憶し、その後、メール着信した携帯電話機３との間で接続されているＢＴ通信リンクが切断されると、内容が表示されていないメールが存在する旨を未読情報としてユーザに対して通知させる。【選択図】図１
2010187288.tif 000002
【特許請求の範囲】
【請求項１】
携帯電話機との間で近距離無線通信リンクを接続している状態でハンズフリー通話を実現するためのハンズフリー通話プロトコルとメール転送を実現するためのメール転送プロトコルとを同時接続可能な接続手段と、
前記接続手段との間で前記ハンズフリー通話プロトコルを接続している携帯電話機が通話中にあるか否かを判定する状態判定手段と、
前記接続手段との間で前記メール転送プロトコルを接続している携帯電話機がメール着信したか否かを判定するメール着信判定手段と、
メール着信をユーザに対して通知するメール着信通知手段と、
通信網から携帯電話機に送信されたメールの内容を前記メール表示手段に表示させるためにユーザが行うメール表示操作を受付ける表示操作受付手段と、
通信網から携帯電話機に送信されたメールの内容を表示可能なメール表示手段と、
前記接続手段との間で前記ハンズフリー通話プロトコルと前記メール転送プロトコルとを同時接続している携帯電話機が通話中にある旨を前記状態判定手段が判定しているときに当該携帯電話機がメール着信した旨を前記メール着信判定手段が判定した場合にメール着信を前記メール着信通知手段からユーザに対して通知させ、ユーザによるメール表示操作を前記表示操作受付手段が受付けた場合に当該着信したメールの内容を前記メール表示手段に表示させる制御手段とを備えたハンズフリー機能付き車載装置において、
内容が前記メール表示手段に表示されていないメールが存在する旨を未読履歴として記憶可能な未読履歴記憶手段を備え、
前記制御手段は、メール着信を前記メール着信通知手段からユーザに対して通知させたがユーザによるメール表示操作を前記表示操作受付手段が受付けなかった場合に未読履歴を前記未読履歴記憶手段に記憶させ、前記接続手段とメール着信した携帯電話機との間で接続されている近距離無線通信リンクが第１の条件が成立したことで切断された後に、前記未読履歴記憶手段に未読履歴が記憶されているか否かに基づいて内容が前記メール表示手段に表示されていないメールが存在するか否かを判定し、内容が前記メール表示手段に表示されていないメールが存在する旨を判定した場合に、その旨を未読情報として未読情報通知手段からユーザに対して通知させることを特徴とするハンズフリー機能付き車載装置。
【請求項２】
請求項１に記載したハンズフリー機能付き車載装置において、
ハンズフリー機能付き車載装置を通常動作状態である電源オン状態から低消費電力動作状態である電源オフ状態に移行させるためにユーザがハンズフリー機能付き車載装置側で行う電源オフ操作を受付ける電源オフ操作受付手段を備え、
前記制御手段は、ユーザによる電源オフ操作を前記電源オフ操作受付手段が受付けた旨を前記第１の条件が成立した旨とすることを特徴とするハンズフリー機能付き車載装置。
【請求項３】
請求項１に記載したハンズフリー機能付き車載装置において、
前記接続手段とメール着信した携帯電話機との間で接続されている近距離無線通信リンクを切断させるためにユーザがハンズフリー機能付き車載装置側で行う切断操作を受付ける車載装置側切断操作受付手段を備え、
前記制御手段は、ユーザによるハンズフリー機能付き車載装置側での切断操作を前記車載装置側切断操作受付手段が受付けた旨を前記第１の条件が成立した旨とすることを特徴とするハンズフリー機能付き車載装置。
【請求項４】
請求項１乃至３の何れかに記載したハンズフリー機能付き車載装置において、
前記制御手段は、前記接続手段とメール着信した携帯電話機との間で接続されている近距離無線通信リンクが前記第１の条件とは異なる第２の条件が成立したことで切断された後には、内容が前記メール表示手段に表示されていないメールが存在する旨を判定した場合であっても、その旨を未読情報として未読情報通知手段からユーザに対して通知させないことを特徴とするハンズフリー機能付き車載装置。
【請求項５】
請求項４に記載したハンズフリー機能付き車載装置において、
前記接続手段とメール着信した携帯電話機との間で接続されている近距離無線通信リンクを切断させるためにユーザが携帯電話機側で行う切断操作を受付けた否かを判定する携帯帯電話機側切断操作判定手段を備え、
前記制御手段は、ユーザによる携帯電話機側での切断操作を受付けた旨を前記携帯電話機側切断操作判定手段が判定した旨を前記第２の条件が成立した旨とすることを特徴とするハンズフリー機能付き車載装置。
【請求項６】
請求項１乃至５の何れかに記載したハンズフリー機能付き車載装置において、
前記表示操作受付手段は、通信網から携帯電話機に送信されたメールの本文を前記メール表示手段に表示させるためにユーザが行う本文表示操作を受付け、
前記制御手段は、メール着信を前記メール着信通知手段からユーザに対して通知させたがユーザによる本文表示操作を前記表示操作受付手段が受付けなかった場合に未読履歴を前記未読履歴記憶手段に記憶させることを特徴とするハンズフリー機能付き車載装置。
【請求項７】
請求項１乃至５の何れかに記載したハンズフリー機能付き車載装置において、
前記表示操作受付手段は、通信網から携帯電話機に送信されたメールの件名を前記メール表示手段にリスト表示させるためにユーザが行う件名リスト表示操作を受付け、
前記制御手段は、メール着信を前記メール着信通知手段からユーザに対して通知させたがユーザによる件名リスト表示操作を前記表示操作受付手段が受付けなかった場合に未読履歴を前記未読履歴記憶手段に記憶させることを特徴とするハンズフリー機能付き車載装置。
【発明の詳細な説明】
【技術分野】
【０００１】
本発明は、携帯電話機との間でハンズフリー通話を実現するためのハンズフリー通話プロトコルとメール転送を実現するためのメール転送プロトコルとを同時接続可能に構成されているハンズフリー機能付き車載装置に関する。
【背景技術】
【０００２】
車室内における携帯電話機の主たる用途としてハンズフリー通話があり、Ｂｌｕｅｔｏｏｔｈ（登録商標）（以下、ＢＴと称する）通信機能を有する車載装置が搭載されている車両の車室内にＢＴ通信機能を有する携帯電話機が持込まれると、車載装置と携帯電話機との間でＢＴ通信リンクを接続している状態でＢＴの通信規格により定義されているハンズフリー通話を実現するためのハンズフリー・プロファイル（ＨＦＰ）を接続するようになっている（例えば特許文献１参照）。
【先行技術文献】
【特許文献】
【０００３】
【特許文献１】特開２００２−２２３２８８号公報
【発明の概要】
【発明が解決しようとする課題】
【０００４】
又、車室内に持込まれた携帯電話機へのメール着信を車載装置に通知することで携帯電話機へのメール着信を車載装置からユーザに対して通知可能とするプロファイルとしてＢＴの通信規格により定義されているメール転送を実現するためのメッセージ・アクセス・プロファイル（ＭＡＰ）が検討されている。そして、出願人は携帯電話機が通話中（ハンズフリー通話中及びハンドセット通話中のうち何れか）にあるときに携帯電話機へのメール着信を車載装置からユーザに対して通知可能となるように車載装置と携帯電話機との間でＨＦＰとＭＡＰとを同時接続する構成を検討している。
【０００５】
このように車載装置と携帯電話機との間でＨＦＰとＭＡＰとを同時接続する構成では、携帯電話機が通話中にあるときであっても携帯電話機へのメール着信を車載装置からユーザに対して通知可能となるが、例えばユーザが会話に夢中になっているとメール着信に気付かない場合がある。その結果、メール着信が放置されてしまい、ユーザがメールの内容（件名や本文）を読み忘れてしまうことが想定される。
【０００６】
本発明は、上記した事情に鑑みてなされたものであり、その目的は、携帯電話機が通話中にあるときに携帯電話機へのメール着信が発生した場合に、内容を読み忘れているメールがある旨をハンズフリー機能付き車載装置からユーザに気付かせることができ、ユーザがメールの内容を読み忘れてしまうことを未然に回避することができるハンズフリー機能付き車載装置を提供することにある。
【課題を解決するための手段】
【０００７】
請求項１に記載したハンズフリー機能付き車載装置によれば、制御手段は、接続手段との間でハンズフリー通話プロトコルとメール転送プロトコルとを同時接続している携帯電話機が通話中にある旨を状態判定手段が判定しているときに当該携帯電話機がメール着信した旨をメール着信判定手段が判定すると、メール着信をメール着信通知手段からユーザに対して通知させ、その後、ユーザによるメール表示操作を表示操作受付手段が受付けると、当該着信したメールの内容をメール表示手段に表示させる。
【０００８】
一方、制御手段は、メール着信をメール着信通知手段からユーザに対して通知させたが、ユーザによるメール表示操作を表示操作受付手段が受付けなければ、内容がメール表示手段に表示されていないメールが存在する旨を未読履歴として未読履歴記憶手段に記憶させる。そして、制御手段は、接続手段とメール着信した携帯電話機との間で接続されている近距離無線通信リンクが第１の条件が成立したことで切断された後に、未読履歴記憶手段に未読履歴が記憶されているか否かに基づいて内容がメール表示手段に表示されていないメールが存在するか否かを判定し、内容がメール表示手段に表示されていないメールが存在する旨を判定すると、その旨を未読情報として未読情報通知手段からユーザに対して通知させる。
【０００９】
これにより、携帯電話機が通話中にあるときに携帯電話機がメール着信すると、その旨をユーザに対して通知させ、その後、ユーザがメール着信に気付いてメール表示操作を行うと、着信したメールの内容を表示させるが、一方、ユーザがメール着信に気付くことなくメール表示操作を行わないと、内容が表示されていないメール（所謂未読メール）が存在する旨を未読履歴として記憶する。その後、メール着信した携帯電話機との間で接続されている近距離無線通信リンクが第１の条件が成立したことで切断されると、内容が表示されていないメールが存在する旨を未読情報としてユーザに対して通知させることにより、内容を読み忘れているメールがある旨をハンズフリー機能付き車載装置からユーザに気付かせることができ、ユーザがメールの内容を読み忘れてしまうことを未然に回避することができる。
【００１０】
請求項２に記載したハンズフリー機能付き車載装置によれば、制御手段は、ユーザによる電源オフ操作を電源オフ操作受付手段が受付けた旨を第１の条件が成立した旨とする。これにより、例えばユーザが降車することを目的として電源オフ操作を行ったことで近距離無線通信リンクが切断されると、内容が表示されていないメールが存在する旨を未読情報としてユーザに対して通知させることにより、内容を読み忘れているメールがある旨を例えばユーザが降車するタイミングでユーザに気付かせることができる。即ち、例えばユーザが降車することを目的として電源オフ操作を行った場合であれば、ユーザが未だに携帯電話機を操作していない状況にあると想定されるので、ユーザが携帯電話機を操作していない状況であっても、内容を読み忘れているメールがある旨をハンズフリー機能付き車載装置から適切なタイミングでユーザに気付かせることができる。
【００１１】
請求項３に記載したハンズフリー機能付き車載装置によれば、制御手段は、ユーザによるハンズフリー機能付き車載装置側での切断操作を車載装置側切断操作受付手段が受付けた旨を第１の条件が成立した旨とする。これにより、例えばユーザが近距離無線通信リンクの接続相手である携帯電話機を切換えることを目的としてハンズフリー機能付き車載装置側で切断操作を行ったことで近距離無線通信リンクが切断されると、内容が表示されていないメールが存在する旨を未読情報としてユーザに対して通知させることにより、内容を読み忘れているメールがある旨を例えばユーザが近距離無線通信リンクの接続相手である携帯電話機を切換えるタイミングでユーザに気付かせることができる。即ち、ユーザがハンズフリー機能付き車載装置側で切断操作を行った場合であれば、上記した請求項２に記載したものと同様にして、ユーザが未だに携帯電話機を操作していない状況にあると想定されるので、ユーザが携帯電話機を操作していない状況であっても、内容を読み忘れているメールがある旨をハンズフリー機能付き車載装置から適切なタイミングでユーザに気付かせることができる。
【００１２】
請求項４に記載したハンズフリー機能付き車載装置によれば、制御手段は、接続手段とメール着信した携帯電話機との間で接続されている近距離無線通信リンクが第１の条件とは異なる第２の条件が成立したことで切断された後には、内容がメール表示手段に表示されていないメールが存在する旨を判定した場合であっても、その旨を未読情報として未読情報通知手段からユーザに対して通知させない。
【００１３】
これにより、ユーザがメール着信に気付くことなくメール表示操作を行わないと、内容が表示されていないメールが存在する旨を未読履歴として記憶するが、その後、メール着信した携帯電話機との間で接続されている近距離無線通信リンクが第２の条件が成立したことで切断されると、内容が表示されていないメールが存在する旨を未読情報としてユーザに対して通知させないことにより、内容を読み忘れているメールがある旨をハンズフリー機能付き車載装置からユーザに気付かせないようにすることができる。
【００１４】
請求項５に記載したハンズフリー機能付き車載装置によれば、制御手段は、ユーザによる携帯電話機側での切断操作を受付けた旨を携帯電話機側切断操作判定手段が判定した旨を第２の条件が成立した旨とする。これにより、ユーザがハンズフリー機能付き車載装置ではなく携帯電話機側で切断操作を行ったことを条件として近距離無線通信リンクが切断されると、内容が表示されていないメールが存在する旨を未読情報としてユーザに対して通知させないことにより、内容を読み忘れているメールがある旨をハンズフリー機能付き車載装置からユーザに気付かせないようにすることができる。即ち、ユーザが携帯電話機側で切断操作を行った場合であれば、ユーザが既に携帯電話機を操作している状況にあるので、内容を読み忘れているメールがある旨をハンズフリー機能付き車載装置からユーザに気付かせる必要はなく、未読情報をハンズフリー機能付き車載装置から通知させないことで実用性を高めることができる。
【００１５】
請求項６に記載したハンズフリー機能付き車載装置によれば、制御手段は、メール着信をメール着信通知手段からユーザに対して通知させたが、ユーザによる本文表示操作を表示操作受付手段が受付けなかった場合に、内容がメール表示手段に表示されていないメールが存在する旨を示す未読履歴を未読履歴記憶手段に記憶させる。
【００１６】
これにより、ユーザが本文表示操作を行わなかったメールを対象とし、メール着信した携帯電話機との間で接続されている近距離無線通信リンクが第１の条件が成立したことで切断された後に、内容を読み忘れているメールがある旨をハンズフリー機能付き車載装置からユーザに気付かせることができ、ユーザがメールの内容を読み忘れてしまうことを未然に回避することができる。
【００１７】
請求項７に記載したハンズフリー機能付き車載装置によれば、制御手段は、メール着信をメール着信通知手段からユーザに対して通知させたが、ユーザによる件名リスト表示操作を表示操作受付手段が受付けなかった場合に、内容がメール表示手段に表示されていないメールが存在する旨を示す未読履歴を未読履歴記憶手段に記憶させる。
【００１８】
これにより、ユーザが件名リスト表示操作を行わなかったメールを対象とし、メール着信した携帯電話機との間で接続されている近距離無線通信リンクが第１の条件が成立したことで切断された後に、内容を読み忘れているメールがある旨をハンズフリー機能付き車載装置からユーザに気付かせることができ、ユーザがメールの内容を読み忘れてしまうことを未然に回避することができる。
【図面の簡単な説明】
【００１９】
【図１】本発明の一実施形態を示す機能ブロック図
【図２】待受中画面が表示されている態様を示す図
【図３】音声着信中画面が表示されている態様を示す図
【図４】ハンズフリー通話中画面が表示されている態様を示す図
【図５】プライベート通話中画面が表示されている態様を示す図
【図６】フローチャート（その１）
【図７】フローチャート（その２）
【図８】メール着信通知画面がハンズフリー通話中画面上にポップアップ表示されている態様を示す図
【図９】開封問合画面が待受中画面上にポップアップ表示されている態様を示す図
【図１０】表示態様問合画面が待受中画面上にポップアップ表示されている態様を示す図
【図１１】本文表示画面が表示されている態様を示す図
【図１２】件名リスト表示画面が表示されている態様を示す図
【図１３】図２相当図
【図１４】未読履歴通知画面が表示されている態様を示す図
【図１５】未読履歴通知画面が待受中画面上にポップアップ表示されている態様を示す図
【発明を実施するための形態】
【００２０】
以下、本発明の一実施形態について、図面を参照して説明する。尚、ここでは、Ｂｌｕｅｔｏｏｔｈ（登録商標）（以下、ＢＴと称する）通信機能を有するＢＴ対応の車載ハンズフリー装置（本発明でいうハンズフリー機能付き車載装置）が搭載されている車両の車室内に、ＢＴ通信機能を有するＢＴ対応の携帯電話機が車室内に持込まれ、車載ハンズフリー装置と携帯電話機とがＢＴ通信可能な状態にある場合を説明する。
【００２１】
車載ハンズフリーシステム１は、車載ハンズフリー装置２と携帯電話機３とから構成されている。車載ハンズフリー装置２は、制御部４（本発明でいう状態判定手段、メール着信判定手段、制御手段、携帯電話機側切断操作判定手段）と、ＢＴインタフェース（ＩＦ）部５（本発明でいう接続手段）と、通話音声処理部６と、記憶部７（本発明でいう未読履歴記憶手段）と、表示制御部８と、タッチ操作入力部９と、信号入力部１０とを備えて構成されている。
【００２２】
制御部４は、周知のマイクロコンピュータからなるＣＰＵ、ＲＡＭ、ＲＯＭ及びＩ／Ｏバス等を有し、車載ハンズフリー装置２の通信動作やデータ管理動作等の動作全般を制御する。ＢＴインタフェース部５は、携帯電話機３との間でＢＴ通信を行う機能を有し、携帯電話機３との間でＢＴ通信リンク（本発明でいう近距離無線通信リンク）を接続している状態でＢＴの通信規格により定義されているハンズフリー通話を実現するためのハンズフリー・プロファイル（ＨＦＰ）（本発明でいうハンズフリー通話プロトコル）とメール転送を実現するためのメッセージ・アクセス・プロファイル（ＭＡＰ）（本発明でいうメール転送プロトコル）とを同時接続（所謂マルチ接続）可能に構成されている。
【００２３】
ここでいうメールとは周知のコンピュータネットワークを通じて交換される文字メッセージや画像データ等の総称である。又、ＢＴインタフェース部５は、これらＨＦＰ及びＭＡＰの他に、電話帳データや発信履歴データや着信履歴データの転送を実現するためのフォンブック・アクセス・プロファイル（ＰＢＡＰ）や各種データの転送を実現するためのオブジェクト・プッシュ・プロファイル（ＯＰＰ）等を接続可能に構成されている。これらプロファイルは、機能毎に定義された通信プロトコルを意味している。
【００２４】
通話音声処理部６には車室内にあって例えばハンドルの近傍等のユーザが発した音声を集音し易い部位に配置されているマイクロホン１１が接続されていると共に、車載ハンズフリー装置２の外部に配置されているオーディオアンプ１２が接続されており、オーディオアンプ１２には２個のスピーカ１３，１４（本発明でいうメール着信通知手段、未読情報通知手段）が接続されている。スピーカ１３，１４は車載ハンズフリー装置２を搭載している車両の全長方向を対称中心して左右対称に配置されており、スピーカ１３は例えば運転席ドアに配置され、スピーカ１４は例えば助手席ドアに配置されている。又、オーディオアンプ１２にはチューナーデッキ１５も接続されており、オーディオアンプ１２はチューナーデッキ１５が例えば音楽用記録媒体から再生した楽曲音やラジオ放送局から受信したラジオ番組を当該チューナーデッキ１５から入力すると、それら入力した楽曲音やラジオ番組を増幅してスピーカ１３，１４から出力させる。
【００２５】
記憶部７は、各種データを記憶可能に構成されており、例えば電話番号と登録名との対応を表す電話帳データ、車載ハンズフリー装置２からの発信動作又は当該車載ハンズフリー装置２との間でＨＦＰを接続している携帯電話機３からの発信動作に係る発信時刻と発信電話番号との対応を表す発信履歴データ、車載ハンズフリー装置２との間でＨＦＰを接続している携帯電話機３の着信動作に係る着信時刻と着信電話番号との対応を表す着信履歴データ等を記憶可能に構成されている。
【００２６】
信号入力部１０は、キースイッチからアクセサリ（ＡＣＣ）信号を入力し、制御部４は、キースイッチから入力しているＡＣＣ信号がオン（ハイレベル）である場合には車載ハンズフリー装置２を電源オン状態として車載バッテリからの動作電力を全ての機能ブロックに供給させることで通常動作させ（ウェイクアップ状態で動作させ）、一方、キースイッチから入力しているＡＣＣ信号がオフ（ロウレベル）である場合には車載ハンズフリー装置２を電源オフ状態として車載バッテリからの動作電力を限定した機能ブロックに供給させることで低消費電力動作させる（スリープ状態で動作させる）。
【００２７】
ディスプレイ装置１６は、各種表示画面を表示する表示装置１７（本発明でいうメール着信通知手段、メール表示手段、未読情報通知手段）と、表示画面上にタッチスイッチを形成するタッチ操作入力装置１８（本発明でいう表示操作受付手段、電源オフ操作受付手段、車載装置側切断操作受付手段）とを備えて構成されている。表示制御部８は、制御部４から表示指令通知を入力すると、その入力した表示指令通知に基づいてディスプレイ装置１６における表示装置１７の表示動作を制御する。タッチ操作入力部９は、ユーザが表示画面上に形成されているタッチスイッチを操作したことに応じてタッチ操作入力装置１８から操作検出通知を入力すると、その入力した操作検出通知を制御部４に出力し、制御部４は、タッチ操作入力部９から入力した操作検出通知を解析する。
【００２８】
携帯電話機３は、自機の動作全般を制御する制御部、通信網１９との間で電話通信を行う電話通信部、ＢＴ通信を行うＢＴインタフェース部、ユーザが操作する各種キーが配列されてなるキー入力部、例えば電話番号と登録名との対応を表す電話帳データ等の各種データを記憶する記憶部、各種表示画面を表示する表示部、ユーザが発した音声を入力するマイクロホン、通話相手から受信した音声を受話音声として出力するスピーカを備えて構成されている。この場合、携帯電話機３のＢＴインタフェース部は、車載ハンズフリー装置２との間でＢＴ通信を行う機能を有し、車載ハンズフリー装置２のＢＴインタフェース部５と同様にしてＨＦＰとＭＡＰとを同時接続可能に構成されている。
【００２９】
ここで、車載ハンズフリー装置２が携帯電話機３との間でＨＦＰを接続している状態で通信網１９から携帯電話機３への音声着信を待受している待受中にある場合を説明する。ここでいう通信網１９とは携帯電話基地局や基地局制御装置等の周知の携帯電話通信サービスを提供する設備を含むものである。
【００３０】
車載ハンズフリー装置２において、制御部４は、ＢＴインタフェース部５と携帯電話機３との間でＨＦＰを接続している状態で携帯電話機３への音声着信の待受中にあるときには図２に示す待受中画面２０を表示装置１７に表示させる。具体的には、制御部４は、音声着信の待受中にある旨を示す「待受中」を状態表示領域２０ａに表示させ、「１」〜「９」の数字スイッチと「＊（アスタリスク）」スイッチと「＃（シャープ）」スイッチとをタッチスイッチとして形成して表示させる。又、制御部４は、ユーザが発信するために操作可能な「発信」スイッチ２０ｃと、ユーザが発信停止するために操作可能な「発信停止」スイッチ２０ｄとをタッチスイッチとして形成して表示させる。更に、制御部４は、携帯電話機３から受信した当該携帯電話機３の電池の残容量を示す残容量アイコンや電波の受信状態を示す電波受信状態アイコンを電話機状態表示領域２０ｅに表示させる。
【００３１】
ここで、通信網１９から携帯電話機３への音声着信が発生した場合を説明する。携帯電話機３は、車載ハンズフリー装置２との間でＨＦＰを接続している場合に、通信網１９から音声着信が発生した旨を検知すると、音声着信した旨を示す音声着信通知を車載ハンズフリー装置２に送信する。この場合、携帯電話機３は、自機を識別する識別情報（例えば自機に登録されている電話番号等）を含む音声着信通知を車載ハンズフリー装置２に送信し、通信網１９から通話相手となり得る発信元電話番号を受信していれば、その通信網１９から受信した発信元電話番号をも含む音声着信通知を車載ハンズフリー装置２に送信する。又、携帯電話機３は、自機がインバンドリングトーンに対応している携帯電話機であれば、自機に登録されている音声着信通知音をも車載ハンズフリー装置２に送信する。
【００３２】
車載ハンズフリー装置２において、制御部４は、携帯電話機３から音声着信通知をＢＴインタフェース部５により受信すると、携帯電話機３から音声着信通知音を受信していなければ、自装置に登録されている音声着信通知音をスピーカ１３，１４から出力させることで携帯電話機３が音声着信した旨をユーザに通知し、携帯電話機３から音声着信通知音を受信していれば、その受信した音声着信通知音（携帯電話機３に登録されている音声着信通知音）をスピーカ１３，１４から出力させる。又、制御部４は、図２に示した待受中画面２０から図３に示す音声着信中画面２１に表示切換し、携帯電話機３が音声着信した旨を示す音声着信中画面２１を表示装置１７に表示させる。
【００３３】
図３は、通信網１９から音声着信した携帯電話機３から発信元電話番号として「０９０＊＊＊＊＊＊０１」を受信し、その携帯電話機３から受信した発信元電話番号に対応する登録名として「織田○○」を電話帳データとして記憶している場合を示している。制御部４は、音声着信中画面２１においては、音声着信中にある旨を示す「着信中」を状態表示領域２１ａに表示させ、発信元の情報である「０９０＊＊＊＊＊＊０１」及び「織田○○」を発信元情報表示領域２１ｂに表示させる。
【００３４】
又、制御部４は、ユーザが音声着信に対して応答するために操作可能な「応答」スイッチ２１ｃと、ユーザが音声着信に対して応答拒否するために操作可能な「応答拒否」スイッチ２１ｄと、ユーザがスピーカ１３，１４から出力される音声着信通知音の音量を増大させるために操作可能な「アップ」スイッチ２１ｅと、ユーザがスピーカ１３，１４から出力される音声着信通知音の音量を低下させるために操作可能な「ダウン」スイッチ２１ｆとを形成して表示させる。更に、制御部４は、残容量アイコンや電波受信状態アイコンを電話機状態表示領域２１ｇに表示させる。
【００３５】
このように携帯電話機３が音声着信状態にある場合には、ユーザは、音声着信中画面２１の「応答」スイッチ２１ｃを操作することで携帯電話機３への音声着信に対してハンズフリー通話で応答可能であり、音声着信中画面２１の「応答拒否」スイッチ２１ｄを操作することで携帯電話機３への音声着信に対して応答拒否可能である。又、ユーザは、携帯電話機３の応答キーを操作することで携帯電話機３への音声着信に対してプライベート通話（ハンドセット通話）で応答可能であり、携帯電話機３の応答拒否キーを操作することで携帯電話機３への音声着信に対して応答拒否可能である。ハンズフリー通話とは携帯電話機３と車載ハンズフリー装置２との間で音声パスが開通されて音声が送受信されることで車載ハンズフリー装置２に接続されているマイクロホン１１及びスピーカ１３，１４を使用して通話することである。プライベート通話とは携帯電話機３と車載ハンズフリー装置２との間で音声パスが閉鎖されて音声が送受信されないことで携帯電話機３のマイクロホン及びスピーカを使用して通話することである。
【００３６】
ここで、ユーザが音声着信中画面２１の「応答」スイッチ２１ｃを操作して携帯電話機３への音声着信に対してハンズフリー通話で応答した場合を説明すると、制御部４は、ユーザが音声着信中画面２１の「応答」スイッチ２１ｃを操作した旨を判定すると、音声着信に対する応答動作を携帯電話機３に行わせ、ＢＴインタフェース部５と携帯電話機３との間で音声パスを開通させ、携帯電話機３が音声着信状態からハンズフリー通話状態に切替わった後に、図３に示した音声着信中画面２１から図４に示すハンズフリー通話中画面２２に表示切換し、ハンズフリー通話中にある旨を示すハンズフリー通話中画面２２を表示装置１７に表示させる。
【００３７】
制御部４は、ハンズフリー通話中画面２２においては、ハンズフリー通話状態にある旨を示す「ハンズフリー通話中」を状態表示領域２２ａに表示させ、発信元の情報である「０９０＊＊＊＊＊＊０１」及び「織田○○」を発信元情報表示領域２２ｂに表示させる。又、制御部４は、ユーザがハンズフリー通話を保留するために操作可能な「通話保留」スイッチ２２ｃと、ユーザがハンズフリー通話を切断するために操作可能な「通話切断」スイッチ２２ｄと、ユーザがハンズフリー通話をプライベート通話に切替える（転送する）ために操作可能な「通話転送」スイッチ２２ｅと、ユーザがスピーカ１３，１４から出力される受話音声の音量を増大させるために操作可能な「アップ」スイッチ２２ｆと、ユーザがスピーカ１３，１４から出力される受話音声の音量を低下させるために操作可能な「ダウン」スイッチ２２ｇとを形成して表示させる。更に、制御部４は、残容量アイコンや電波受信状態アイコンを電話機状態表示領域２２ｈに表示させる。
【００３８】
一方、ユーザが携帯電話機３の応答キーを操作して携帯電話機３への音声着信に対してプライベート通話で応答した場合を説明すると、制御部４は、ユーザが携帯電話機３の応答キーを操作した旨を判定すると、音声着信に対する応答動作を携帯電話機３に行わせ、ＢＴインタフェース部５と携帯電話機３との間で音声パスを開通させることなく、携帯電話機３が音声着信状態からプライベート通話状態に切替わった後に、図２に示した音声着信中画面２１から図５に示すプライベート通話中画面２３に表示切換し、プライベート通話中にある旨を示すプライベート通話中画面２３を表示装置１７に表示させる。
【００３９】
制御部４は、プライベート通話中画面２３においては、プライベート通話中にある旨を示す「プライベート通話中」を状態表示領域２３ａに表示させ、発信元の情報である「０９０＊＊＊＊＊＊０１」及び「織田○○」を発信元情報表示領域２３ｂに表示させる。又、制御部４は、ユーザがプライベート通話をハンズフリー通話に切替えるために操作可能な「通話転送」スイッチ２３ｃを形成して表示させる。更に、制御部４は、残容量アイコンや電波受信状態アイコンを電話機状態表示領域２３ｄに表示させる。
【００４０】
次に、上記した構成の作用について、図６乃至図１５を参照して説明する。図６及び図７は、車載ハンズフリー装置２が行う処理をフローチャートにより示している。車載ハンズフリー装置２において、制御部４は、本発明に関連して、通信網１９から携帯電話機３へのメール着信が発生したか否かを判定するメール着信検知処理と、ＢＴ通信リンクの切断要求が発生したか否かを判定する切断要求検知処理とを実行する。以下、これらメール着信検知処理と切断要求検知処理とを順次説明する。
【００４１】
（１）メール着信検知処理
制御部４は、メール着信検知処理を開始すると、通信網１９から携帯電話機３へのメール着信が発生したか否かを判定する（ステップＳ１）。ここで、制御部４は、通信網１９から携帯電話機３へのメール着信が発生していない旨を判定すると（ステップＳ１にて「ＮＯ」）、メール着信検知処理を終了して他の処理（例えばメイン処理）にリターンする。
【００４２】
さて、制御部４は、携帯電話機３からメール着信通知を入力することで通信網１９から携帯電話機３へのメール着信が発生した旨を判定すると（ステップＳ１にて「ＹＥＳ」）、携帯電話機３から状態通知を入力することでメール着信した携帯電話機３が音声着信中にあるか、ハンズフリー通話中にあるか、プライベート通話中にあるか、待受中にあるかを判定する（ステップＳ２〜Ｓ４）。
【００４３】
ここで、制御部４は、携帯電話機３から状態通知を入力することでメール着信した携帯電話機３が待受中にある旨を判定すると（ステップＳ２にて「ＮＯ」、Ｓ３にて「ＮＯ」、Ｓ４にて「ＮＯ」）、メール着信した旨を示すメール着信通知画面を待受中画面２０上にポップアップ表示させると同時にメール着信通知音をスピーカ１３，１４から出力させる（ステップＳ５）。この場合、制御部４は、例えばメール着信通知画面を表示させた時点から予め設定されている所定時間が経過するまではメール着信通知画面の表示を継続させる。これにより、ユーザは待受中画面２０上にポップアップ表示されるメール着信通知画面を見たりスピーカ１３，１４から出力されるメール着信通知音を聞いたりすることでメール着信を認識可能となる。
【００４４】
又、制御部４は、携帯電話機３から状態通知を入力することでメール着信した携帯電話機３が音声着信中にある旨を判定すると（ステップＳ２にて「ＹＥＳ」）、メール着信した旨を示すメール着信通知画面を音声着信中画面２１上にポップアップ表示させると同時にメール着信通知音をスピーカ１３，１４から出力させる（ステップＳ６）。この場合、制御部４は、例えばメール着信通知画面を表示させた時点から予め設定されている所定時間が経過するまで又は音声着信が終了するまではメール着信通知画面の表示を継続させる。これにより、ユーザは音声着信中画面２１上にポップアップ表示されるメール着信通知画面を見たりスピーカ１３，１４から出力されるメール着信通知音を聞いたりすることでメール着信を認識可能となる。
【００４５】
又、制御部４は、携帯電話機３から状態通知を入力することでメール着信した携帯電話機３がハンズフリー通話中にある旨を判定すると（ステップＳ３にて「ＹＥＳ」）、図８に示すように、「メールを受信しました。通話を終了し、安全な場所に車を停車し、ご確認ください。」というメール着信した旨を示すメール着信通知画面２４をハンズフリー通話中画面２２上にポップアップ表示させると同時にメール着信通知音をスピーカ１３，１４から出力させる（ステップＳ７）。この場合、制御部４は、例えばメール着信通知画面を表示させた時点から予め設定されている所定時間が経過するまで又はハンズフリー通話が終了するまではメール着信通知画面の表示を継続させる。これにより、ユーザはハンズフリー通話中画面２２上にポップアップ表示されるメール着信通知画面２４を見たりスピーカ１３，１４から出力されるメール着信通知音を聞いたりすることでメール着信を認識可能となる。
【００４６】
更に、制御部４は、携帯電話機３から状態通知を入力することでメール着信した携帯電話機３がプライベート通話中にある旨を判定すると（ステップＳ４にて「ＹＥＳ」）、メール着信した旨を示すメール着信通知画面をプライベート通話中画面２３上にポップアップ表示させると同時にメール着信通知音をスピーカ１３，１４から出力させる（ステップＳ８）。この場合、制御部４は、例えばメール着信通知画面を表示させた時点から予め設定されている所定時間が経過するまで又はプライベート通話が終了するまではメール着信通知画面の表示を継続させる。これにより、ユーザはプライベート通話中画面２３上にポップアップ表示されるメール着信通知画面を見たりスピーカ１３，１４から出力されるメール着信通知音を聞いたりすることでメール着信を認識可能となる。
【００４７】
さて、制御部４は、通信網１９から携帯電話機３へのメール着信が発生すると、上記したように携帯電話機３が何れの状態であってもメール着信通知画面２４を表示させると同時にメール着信通知音をスピーカ１３，１４から出力させる。ところで、ユーザの使用形態を想定すると、メール着信した携帯電話機３が待受中又は音声着信中であれば、ユーザが会話していない状態にあるのでメール着信に気付き易いが、一方、メール着信した携帯電話機３がハンズフリー通話中又はプライベート通話中であれば、ユーザが会話している状態にあるので例えば会話に夢中になっているとメール着信に気付かない場合がある。このような事情から、制御部４は、メール着信した携帯電話機３がハンズフリー通話中又はプライベート通話中にある旨を判定した場合であれば、以下に示す処理を行う。
【００４８】
即ち、制御部４は、メール着信した携帯電話機３がハンズフリー通話中にある旨を判定した場合であれば、メール着信をユーザに対して通知させた後に、ハンズフリー通話を終了したか否かを判定する（ステップＳ９）。次いで、制御部４は、ハンズフリー通話を終了した旨を判定すると（ステップＳ９にて「ＹＥＳ」）、ハンズフリー通話中画面２２から待受中画面２０に表示切換し、図９に示すように、「メールを受信しました。開封しますか？」というメールの開封をユーザに対して問合わせる開封問合画面２５を待受中画面２０にポップアップ表示させる（ステップＳ１０）。尚、制御部４は、開封問合画面２５を待受中画面２０にポップアップ表示させる場合には、携帯電話機３がメールを受信した旨を示すメール受信アイコン２０ｆを待受中画面２０上に表示させる。
【００４９】
この場合、制御部４は、開封問合画面２５においては、ユーザがメールの開封を行う旨を選択するために操作可能な「Ｙｅｓ」スイッチ２５ａと、ユーザがメールの開封を行わない旨を選択するために操作可能な「Ｎｏ」スイッチ２５ｂとを形成して表示させる。即ち、ユーザは開封問合画面２５が表示されている間は当該開封問合画面２５上で「Ｙｅｓ」スイッチ２５ａ及び「Ｎｏ」スイッチ２５ｂのうち何れかを選択することでメールの開封を行うか否かを選択可能である。そして、制御部４は、これ以降にユーザがメールの内容を表示させる操作を行ってメールの内容が表示装置１７に表示されたか（所謂メールが開封されて読まれたか）否かを判定する（ステップＳ１１）。
【００５０】
ここで、制御部４は、ユーザが開封問合画面２５上で「Ｙｅｓ」スイッチ２５ａを操作した旨を判定すると、図１０に示すように、開封問合画面２５を消去させて「本文を表示しますか？件名をリスト表示しますか？」というメールの表示態様をユーザに対して問合わせる表示態様問合画面２６を待受中画面２０にポップアップ表示させる。
【００５１】
この場合、制御部４は、表示態様問合画面２６においては、ユーザがメールの本文の表示を選択するために操作可能な「本文」スイッチ２６ａと、ユーザがメールの件名のリスト表示を選択するために操作可能な「リスト」スイッチ２６ｂと、ユーザが表示のキャンセルを選択するために操作可能な「キャンセル」スイッチ２６ｃとを形成して表示させる。即ち、ユーザは表示態様問合画面２６が表示されている間は当該表示態様問合画面２６上で「本文」スイッチ２６ａ、「リスト」スイッチ２６ｂ及び「キャンセル」スイッチ２６ｃのうち何れかを選択することでメールの本文を表示させるかメールの件名をリスト表示させるか表示をキャンセルするかを選択可能である。
【００５２】
ここで、ユーザが表示態様問合画面２６上で「本文」スイッチ２６ａを操作した（本発明でいう本文表示操作が行われた）旨を判定すると、図１１に示すように、待受中画面２０から本文表示画面２７に表示切換する。この場合、制御部４は、本文表示画面２７においては、着信したメールの発信元を発信元表示領域２７ａに表示させ、着信したメールの件名を件名表示領域２７ｂに表示させ、着信したメールの本文を本文表示領域２７ｃに表示させる。
【００５３】
又、制御部４は、ユーザが当該着信したメールの本文の続きを表示させるために操作可能な「続き」スイッチ２７ｄと、ユーザが当該着信したメールを保存するために操作可能な「保存」スイッチ２７ｅと、ユーザが当該着信したメールを消去するために操作可能な「消去」スイッチ２７ｆと、ユーザが件名のリスト表示を選択するために操作可能な「リスト」スイッチ２７ｇとを形成して表示させる。尚、制御部４は、開封問合画面２５を待受中画面２０にポップアップ表示させる際に表示させたメール受信アイコン２０ｆを消去させる。
【００５４】
一方、制御部４は、ユーザが表示態様問合画面２６上で「リスト」スイッチ２６ｂを操作した（本発明でいう件名リスト表示操作が行われた）旨を判定すると、図１２に示すように、待受中画面２０から件名リスト表示画面２８に表示切換する。この場合、制御部４は、件名リスト表示画面２８においては、今回に着信したメールの件名及び発信元を最上位の件名表示領域２８ａに表示させ、そのメールの本文を未読である旨を示す「未読」という文字情報を表示させる。又、制御部４は、今回のメールを着信する前に着信した過去のメールの件名及び発信元を着信日時が新しい順にしたがって次位以降の件名表示領域２８ｂ〜２８ｄに表示させ、それら各々に対応してメールの本文を未読であれば「未読」という文字情報を表示させると共にメールの本文を既読であれば「既読」という文字情報を表示させる。
【００５５】
又、制御部４は、ユーザが前頁の件名リストを表示させるために操作可能な「前頁」スイッチ２８ｅと、ユーザが次頁の件名リストを表示させるために操作可能な「次頁」スイッチ２８ｆと、ユーザが選択状態にあるメールの本文を読むために操作可能な「読む」スイッチ２８ｇと、ユーザが選択状態にあるメールを消去するために操作可能な「消去」スイッチ２８ｈと、ユーザが直前の画面に戻すために操作可能な「戻る」スイッチ２８ｉとを形成して表示させる。尚、制御部４は、この場合は、開封問合画面２５を待受中画面２０にポップアップ表示させる際に表示させたメール受信アイコン２８ｊを消去させない。
【００５６】
即ち、制御部４は、ユーザが開封問合画面２５上で「Ｙｅｓ」スイッチ２５ａを操作した旨を判定し、続いて、ユーザが表示態様問合画面２６上で「本文」スイッチ２６ａ又は「リスト」スイッチ２６ｂを操作した旨を判定すると、ユーザがメールの内容を表示させる操作を行ってメールの内容が表示装置１７に表示された旨を判定し（ステップＳ１１にて「ＹＥＳ」）、これ以降、後述するように未読履歴を記憶部７に記憶させることなく、メール着信検知処理を終了して他の処理にリターンする。
【００５７】
これに対して、制御部４は、ユーザが開封問合画面２５上で「Ｎｏ」スイッチ２５ｂを操作した旨を判定するか、ユーザが開封問合画面２５上で「Ｙｅｓ」スイッチ２５ａ及び「Ｎｏ」スイッチ２５ｂのうち何れも操作しなかった旨を判定するか、ユーザが表示態様問合画面２６上で「キャンセル」スイッチ２６ｃを操作した旨を判定すると、上記したような着信したメールの本文を表示させたりメールの件名をリスト表示させたりすることなく、ユーザがメールの内容を表示させる操作を行うことなくメールの内容が表示装置１７に表示されなかった旨を判定し（ステップＳ１１にて「ＮＯ」）、内容が表示装置１７に表示されていないメールが存在する旨を未読履歴として記憶部７に記憶させ（ステップＳ１２）、メール着信検知処理を終了して他の処理にリターンする。
【００５８】
ところで、以上は、メール着信した携帯電話機３がハンズフリー通話中にある場合を説明したが、メール着信した携帯電話機３がプライベート通話中にある場合も同様である。即ち、制御部４は、メール着信した携帯電話機３がプライベート通話中にある旨を判定した場合であれば、メール着信をユーザに対して通知させた後に、プライベート通話を終了したか否かを判定し（ステップＳ１３）、プライベート通話を終了した旨を判定すると（ステップＳ１３にて「ＹＥＳ」）、プライベート通話中画面２３から待受中画面２０に表示切換し、図９に示したように、開封問合画面２５を待受中画面２０にポップアップ表示させ（ステップＳ１０）、これ以降、上記したステップＳ１１、Ｓ１２を行う。
【００５９】
又、制御部４は、メール着信した携帯電話機３が待受中又は音声着信中である場合も、メール着信した携帯電話機３がハンズフリー通話中又はプライベート通話中である場合と同様にして開封問合画面２５を表示させた後に表示態様問合画面２６を表示させるが、ユーザがメールの内容を表示させる操作を行ってメールの内容が表示装置１７に表示されたか否かを判定することはない。
【００６０】
（２）切断要求検知処理
制御部４は、切断要求検知処理を開始すると、ＢＴインタフェース部５と携帯電話機３との間で接続されているＢＴ通信リンクの切断要求が発生したか否かを判定する（ステップＳ２１）。ここで、制御部４は、ＢＴ通信リンクの切断要求が発生していない旨を判定すると（ステップＳ２１にて「ＮＯ」）、切断要求検知処理を終了して他の処理（例えばメイン処理）にリターンする。
【００６１】
さて、制御部４は、ＢＴ通信リンクの切断要求が発生した旨を判定すると（ステップＳ２１にて「ＹＥＳ」）、ユーザが電源オフ操作を行った旨に起因する切断要求であるか、ユーザが車載ハンズフリー装置２側で切断操作を行った旨に起因する切断要求であるか、ユーザが携帯電話機３側で切断操作を行った旨に起因する切断要求であるかを判定する（ステップＳ２２〜Ｓ２４）。
【００６２】
ここで、制御部４は、例えばユーザが降車することを目的としてＡＣＣオフしたことで信号入力部１０に入力されているＡＣＣ信号がオンからオフに切換わった旨を判定し、ユーザが電源オフ操作を行った（本発明でいう第１の条件が成立した）旨に起因する切断要求である旨を判定すると（ステップＳ２２にて「ＹＥＳ」）、ＢＴインタフェース部５と携帯電話機３との間で接続されているＢＴ通信リンクを切断させた後に、ＡＣＣ信号がオンからオフに切換わったことで通常動作から低消費電力動作に切換えるが、記憶部７に未読履歴が記憶されているか否かを判定する（ステップＳ２５）。そして、制御部４は、記憶部７に未読履歴が記憶されていない旨を判定すると（ステップＳ２５にて「ＮＯ」）、切断要求検知処理を終了して他の処理にリターンする。
【００６３】
一方、制御部４は、記憶部７に未読履歴が記憶されている旨を判定すると（ステップＳ２５にて「ＹＥＳ」）、図１３及び図１４に示すように、通常動作から低消費電力動作に切換えたことで待受中画面２０を消去させたが、「通話中にメールを受信しています。ご確認ください。」という未読履歴がある旨を示す未読履歴通知画面２９を表示させると同時に未読履歴通知音をスピーカ１３，１４から出力させる（ステップＳ２６）（本発明でいう未読情報を通知させる）。これにより、ユーザは未読履歴通知画面２９を見たりスピーカ１３，１４から出力される未読履歴通知音を聞いたりすることで未読履歴がある旨を認識可能となる。
【００６４】
又、制御部４は、例えばユーザがＢＴ通信リンクの接続相手である携帯電話機３を切換えることを目的として切断スイッチ（図示せず）を操作する等して車載ハンズフリー装置２側で切断操作を行った（本発明でいう第１の条件が成立した）旨を判定し、ユーザが車載ハンズフリー装置２側で切断操作を行った旨に起因する切断要求である旨を判定すると（ステップＳ２３にて「ＹＥＳ」）、ＢＴインタフェース部５と携帯電話機３との間で接続されているＢＴ通信リンクを切断させた後に、上記したユーザが電源オフ操作を行った場合と同様の処理を行う。
【００６５】
即ち、制御部４は、記憶部７に未読履歴が記憶されているか否かを判定し（ステップＳ２７）、記憶部７に未読履歴が記憶されている旨を判定すると（ステップＳ２７にて「ＹＥＳ」）、この場合は、待受中画面２０を消去させることなく「通話中にメールを受信しています。ご確認ください。」という未読履歴がある旨を示す未読履歴通知画面２９を待受中画面２０にポップアップ表示させると同時に未読履歴通知音をスピーカ１３，１４から出力させる（ステップＳ２８）（本発明でいう未読情報を通知させる）。これにより、ユーザは未読履歴通知画面２９を見たりスピーカ１３，１４から出力される未読履歴通知音を聞いたりすることで未読履歴がある旨を認識可能となる。
【００６６】
一方、制御部４は、携帯電話機３から状態通知を入力することでユーザが切断キー（図示せず）を操作する等して携帯電話機３側で切断操作を行った（本発明でいう第２の条件が成立した）旨に起因する切断要求である旨を判定すると（ステップＳ２４にて「ＹＥＳ」）、ＢＴインタフェース部５と携帯電話機３との間で接続されているＢＴ通信リンクを切断させた後に、上記したユーザが電源オフ操作を行った場合やユーザが車載ハンズフリー装置２側で切断操作を行った場合とは異なり、記憶部７に未読履歴が記憶されているか否かを判定することなく、切断要求検知処理を終了して他の処理にリターンする。
【００６７】
以上に説明したように本実施形態によれば、車載ハンズフリー装置２において、携帯電話機３がハンズフリー通話中又はプライベート通話中にあるときに携帯電話機３がメール着信すると、その旨をユーザに対して通知させ、メールの内容を表示させる操作が行われたか否かを判定し、メールの内容を表示させる操作が行われなかった旨を判定すると、内容が表示されていないメールが存在する旨を未読履歴として記憶し、その後、メール着信した携帯電話機３との間で接続されているＢＴ通信リンクが切断されると、内容が表示されていないメールが存在する旨を未読情報としてユーザに対して通知させるように構成したので、内容を読み忘れているメールがある旨を車載ハンズフリー装置２からユーザに気付かせることができ、ユーザがメールの内容を読み忘れてしまうことを未然に回避することができる。
【００６８】
この場合、例えばユーザが降車することを目的として電源オフ操作を行ったことやＢＴ通信リンクの接続相手である携帯電話機３を切換えることを目的として車載ハンズフリー装置２側で切断操作を行ったことでＢＴ通信リンクが切断された場合に、内容が表示されていないメールが存在する旨を未読情報として記憶していると、その旨をユーザに対して通知させるように構成したので、内容を読み忘れているメールがある旨を例えばユーザが降車するタイミングやＢＴ通信リンクの接続相手である携帯電話機３を切換えるタイミングでユーザに気付かせることができる。
【００６９】
即ち、例えばユーザが降車することを目的として電源オフ操作を行った場合やＢＴ通信リンクの接続相手である携帯電話機３を切換えることを目的として車載ハンズフリー装置２側で切断操作を行った場合であれば、ユーザが未だに携帯電話機３を操作していない状況にあると想定されるので、ユーザが携帯電話機３を操作していない状況であっても、内容を読み忘れているメールがある旨を車載ハンズフリー装置２から適切なタイミングでユーザに気付かせることができる。
【００７０】
一方、ユーザが車載ハンズフリー装置２ではなく携帯電話機３側で切断操作を行ったことでＢＴ通信リンクが切断された場合に、内容が表示されていないメールが存在する旨を未読情報として記憶していたとしても、その旨をユーザに対して通知させないように構成したので、内容を読み忘れているメールがある旨を車載ハンズフリー装置２からユーザに気付かせないようにすることができる。即ち、ユーザが携帯電話機３側で切断操作を行った場合であれば、ユーザが既に携帯電話機３を操作している状況にあるので、内容を読み忘れているメールがある旨を車載ハンズフリー装置２からユーザに気付かせる必要はなくその旨を車載ハンズフリー装置２から通知させないことで実用性を高めることができる。
【００７１】
本発明は、上記した実施形態にのみ限定されるものではなく、以下のように変形又は拡張することができる。
車載ハンズフリー装置の機能が例えば車載ナビゲーション装置等の別の車載装置に組み込まれていても良い。
各画面における各表示領域や各スイッチのレイアウトは他の態様であっても良い。又、各スイッチはディスプレイ装置にタッチスイッチとして形成されるスイッチに限らず、機械的に配置されているスイッチであっても良く、それらの操作手順がディスプレイ装置に表示される構成であっても良い。
【００７２】
ハンズフリー通話中にあるときにメール着信した場合とプライベート通話中にあるときにメール着信した場合とでメール着信を通知する態様を異ならせても良い。例えばハンズフリー通話中にあるときにメール着信した場合にメール着信通知画面を表示させると同時にメール着信通知音を出力させ、一方、プライベート通話中にあるときにメール着信した場合にメール着信通知画面を表示させるだけでメール着信通知音を出力させないようにしても良い。又、これとは反対に、例えばプライベート通話中にあるときにメール着信した場合にメール着信通知画面を表示させると同時にメール着信通知音を出力させ、一方、ハンズフリー通話中にあるときにメール着信した場合にメール着信通知画面を表示させるだけでメール着信通知音を出力させないようにしても良い。この場合、ユーザが何れかを選択可能であっても良い。
【００７３】
未読履歴通知画面を表示させると未読履歴通知音を出力させることに限らず、未読履歴通知画面を表示させるだけで未読履歴通知音を出力させないようにしても良い。この場合も、ユーザが何れかを選択可能であっても良い。
未読情報として単に内容が表示されていないメールが存在する旨だけをユーザに対して通知させることに限らず、例えば一回の通話中に複数回のメール着信が発生した場合であれば、内容が表示されていないメールの件数等をも併せてユーザに対して通知させても良い。
メールの本文を表示する本文表示画面が表示された場合及びメールの件名をリスト表示する件名リスト表示画面が表示された場合のうち何れかを本発明でいうメールの内容が表示された場合として定義することに限らず、メールの本文を表示する本文表示画面が表示された場合だけを本発明でいうメールの内容が表示された場合として定義し、メールの件名をリスト表示する件名リスト表示画面が表示された場合を本発明でいうメールの内容が表示された場合の定義から省いても良い。
【符号の説明】
【００７４】
図面中、１は車載ハンズフリーシステム、２は車載ハンズフリー装置（ハンズフリー機能付き車載装置）、３は携帯電話機、４は制御部（状態判定手段、メール着信判定手段、制御手段、携帯電話機側切断操作判定手段）、５はＢＴインタフェース部（接続手段）、７は記憶部（未読履歴記憶手段）、１３，１４はスピーカ（メール着信通知手段、未読情報通知手段）、１７は表示装置（メール着信通知手段、メール表示手段、未読情報通知手段）、１８はタッチ操作入力装置（表示操作受付手段、電源オフ操作受付手段、車載装置側切断操作受付手段）、１９は通信網である。
【図１】
2010187288.tif 000003
【図２】
2010187288.tif 000004
【図３】
2010187288.tif 000005
【図４】
2010187288.tif 000006
【図５】
2010187288.tif 000007
【図６】
2010187288.tif 000008
【図７】
2010187288.tif 000009
【図８】
2010187288.tif 000010
【図９】
2010187288.tif 000011
【図１０】
2010187288.tif 000012
【図１１】
2010187288.tif 000013
【図１２】
2010187288.tif 000014
【図１３】
2010187288.tif 000015
【図１４】
2010187288.tif 000016
【図１５】
2010187288.tif 000017